(57)【要約】      （修正有）【課題】使用効果及び実用性能を向上させる昇降機のモニタ装置を提供する。【解決手段】昇降機のモニタ装置は、上蓋１と下部ケース２とを備えており、上蓋１が下部ケース２の開口位置に固定されており、下部ケース２の内部空間内には制御板３が設けられており、制御板３は、ＰＣＢ板３１と、フロア読取りプロセッサ３４と、昇降速度記録分析プロセッサ３５と、ＡＶ線入口３６と、データ線入口３７と、ＡＶ線出口３８と、データ線出口３９と、制御スイッチ３０と、ＬＥＤインジケータ３３と、ブザー３２と、を備えている。モニタ装置は、昇降機の安定性を秒単位で検出し、落下事故を防止することができ、昇降機のかごがシャフト内で停止した後で作業者が直ちに調査して、保守及び救出を行う利便性が向上し、さらにはカメラにより、昇降機ドアに支障がないかを検知し、ドア閉が可能かどうかを監視することができる。【選択図】図２
0003212058.tif 000002
【実用新案登録請求の範囲】
【請求項１】
上蓋（１）と下部ケース（２）とを備えており、前記上蓋（１）が前記下部ケース（２）の開口位置に固定されており、前記下部ケース（２）の内部空間内には制御板（３）が設けられている昇降機のモニタ装置であって、
前記制御板（３）は、ＰＣＢ板（３１）と、フロア読取りプロセッサ（３４）と、昇降速度記録分析プロセッサ（３５）と、ＡＶ線入口（３６）と、データ線入口（３７）と、ＡＶ線出口（３８）と、データ線出口（３９）と、制御スイッチ（３０）と、ＬＥＤインジケータ（３３）と、ブザー（３２）と、を備えており、
前記データ線入口（３７）が受け取った信号は前記昇降速度記録分析プロセッサ（３５）に入力するように接続されており、前記昇降速度記録分析プロセッサ（３５）にて処理された後の信号は前記データ線出口（３９）、前記ブザー（３２）及び前記ＬＥＤインジケータ（３３）にそれぞれ入力され、前記ＡＶ線入口（３６）が受け取った信号は前記フロア読取りプロセッサ（３４）に入力され、前記フロア読取りプロセッサ（３４）で処理された後の信号は前記ＡＶ線出口（３８）に入力される、昇降機のモニタ装置。
【請求項２】
前記制御板（３）は、互いに電気的に接続される電源ソケット（３１０）と変圧器（３１１）とをさらに備えており、該変圧器（３１１）は、前記フロア読取りプロセッサ（３４）、前記昇降速度記録分析プロセッサ（３５）、前記制御スイッチ（３０）、前記ＬＥＤインジケータ（３３）及び前記ブザー（３２）にそれぞれ電気的に接続される、請求項１に記載の昇降機のモニタ装置。
【請求項３】
ディスプレイ（４）をさらに備えており、前記ＡＶ線出口（３８）と前記ディスプレイ（４）との間が信号接続される、請求項１に記載の昇降機のモニタ装置。
【請求項４】
センサ（５）をさらに備えており、前記データ線入口（３７）と前記センサ（５）との間が信号接続されており、前記センサ（５）は、互いに信号接続する検知素子（５１）と水平計測器（５２）とを備えており、前記水平計測器（５２）と前記データ線入口（３７）との間が信号接続される、ことを特徴とする請求項１に記載の昇降機のモニタ装置。
【請求項５】
カメラ（６）をさらに備えており、前記ＡＶ線入口（３６）と前記カメラ（６）との間が信号接続される、請求項１に記載の昇降機のモニタ装置。
【考案の詳細な説明】
【技術分野】
【０００１】
本考案は昇降機における電子装置に関し、特に昇降機のモニタ装置に関する。
【背景技術】
【０００２】
従来の昇降装置制御システムでは、一般的に簡単な上下移動、ドア開閉制御を行うことができるのみで、リアルタイム監視機能及び危険状況監視機能などといった高レベルの機能は備わっていないうえ、昇降機制御システムは、一般的に乗降ドア箇所で、またはかご内で階数を確認できるのみで、昇降機かごの上下移動速度を確認することはできない。そして、昇降機かごは、上下移動する過程にて落下事故が発生しやすく、もし昇降機のドアが故障して、ドア開閉に支障が生じた場合でも、直ちに正確なフロア情報を取得することができず、人為的に調査を手配するか、または人為的な通報がなければデータを得ることができず、一定の安全性への潜在的な憂慮をもたらすことになり、使用効果及び実用性に影響する。
【０００３】
よって、多見される従来技術における上記欠点に鑑み、考案者は上記欠点に対して研究改善して、ついに本考案を発案した。
【考案の概要】
【０００４】
本考案の目的は、上記技術の不足を解決するために、使用効果及び実用性能を向上させる昇降機のモニタ装置を設計するところにある。
【０００５】
本考案で設計した昇降機のモニタ装置は、上蓋と下部ケースとを備えており、上蓋が下部ケースの開口位置に固定されており、下部ケースの内部空間内には制御板が設けられている昇降機のモニタ装置であって、制御板は、ＰＣＢ板と、フロア読取りプロセッサと、昇降速度記録分析プロセッサと、ＡＶ線入口と、データ線入口と、ＡＶ線出口と、データ線出口と、制御スイッチと、ＬＥＤインジケータと、ブザーと、を備えており、データ線入口が受け取った信号は昇降速度記録分析プロセッサに入力されるように接続されており、昇降速度記録分析プロセッサにて処理された後の信号はデータ線出口、ブザー及びＬＥＤインジケータにそれぞれ入力され、ＡＶ線入口が受け取った信号はフロア読取りプロセッサに入力され、フロア読取りプロセッサで処理された後の信号はＡＶ線出口に入力される。
【０００６】
さらには、制御板は、互いに電気的に接続される電源ソケットと変圧器とをさらに備えており、変圧器は、フロア読取りプロセッサ、昇降速度記録分析プロセッサ、制御スイッチ、ＬＥＤインジケータ及びブザーにそれぞれ電気的に接続される。
【０００７】
さらには、ディスプレイをさらに備えており、ＡＶ線出口とディスプレイとの間が信号接続される。
【０００８】
さらには、センサをさらに備えており、データ線入口とセンサとの間が信号接続されており、センサは、互いに信号接続する検知素子と水平計測器とを備えており、水平計測器とデータ線入口との間が信号接続される。
【０００９】
さらには、カメラをさらに備えており、前記ＡＶ線入口とカメラとの間が信号接続される。
【００１０】
本考案で設計した昇降機のモニタ装置は、その構造では昇降機の安定性を秒単位で検出し、落下事故を防止することができ、昇降機のかごがシャフト内で停止した後で作業者が直ちに調査して、保守及び救出を行う利便性が向上し、安全性、使用効果及び実用性能が向上し、さらにはカメラにより、昇降機ドアに支障がないかを検知し、ドア閉が可能かどうかを監視することができる。
【図面の簡単な説明】
【００１１】
【図１】図１は実施例１の全体構造概略図である。
【図２】図２は実施例１の分解図である。
【考案を実施するための形態】
【００１２】
以下にて本考案における図面を合わせて、本考案の実施例における技術手法をより明確に、完全に記述するが、明らかなことは、記述する実施例は単に本考案の実施例の一部であって、全ての実施例ではないというものである。本考案における実施例によれば、当業者が創造的な作業を行わないという前提にて得られる全てのその他実施例は、いずれも本考案の保護する範囲に属する。
【００１３】
実施例１：
図１に示すように、本考案で開示する昇降機のモニタ装置は、上蓋１と下部ケース２とを備えており、上蓋１が下部ケース２の開口位置に固定されており、下部ケース２の内部空間内には制御板３が設けられており、制御板３は、ＰＣＢ板３１と、フロア読取りプロセッサ３４と、昇降速度記録分析プロセッサ３５と、ＡＶ線入口３６と、データ線入口３７と、ＡＶ線出口３８と、データ線出口３９と、制御スイッチ３０と、ＬＥＤインジケータ３３と、ブザー３２と、を備えており、データ線入口３７が受け取った信号は昇降速度記録分析プロセッサ３５に入力するように接続されており、昇降速度記録分析プロセッサ３５にて処理された後の信号はデータ線出口３９、ブザー３２及びＬＥＤインジケータ３３にそれぞれ入力され、ＡＶ線入口３６が受け取った信号はフロア読取りプロセッサ３４に入力され、フロア読取りプロセッサ３４で処理された後の信号はＡＶ線出口３８に入力される。
【００１４】
実施例においては、制御板３は、互いに電気的に接続される電源ソケット３１０と変圧器３１１とをさらに備えており、変圧器３１１は、フロア読取りプロセッサ３４、昇降速度記録分析プロセッサ３５、制御スイッチ３０、ＬＥＤインジケータ３３及びブザー３２にそれぞれ電気的に接続されることで、その構造が制御スイッチ３０によりモニタ装置の制御板３のオン／オフを制御すると共に、変圧器３１１によってプロセッサ、制御スイッチ３０、ＬＥＤインジケータ３３及びブザー３２等の素子が回路保護を行って、過負荷を防止する作用を実現している。
【００１５】
本実施例においては、ディスプレイ４をさらに備えており、ＡＶ線出口３８とディスプレイ４との間が信号接続されることで、かご内の状況をリアルタイムに表示すると共に、かごが各フロアに到達した後のドアの開閉状況は、かごが各フロアに到達した具体的な数字又はフロア数字として表示される。
【００１６】
本実施例においては、センサ５をさらに備えており、データ線入口３７とセンサ５との間が信号接続されており、センサ５は、互いに信号接続する検知素子５１と水平計測器５２とを備えており、水平計測器５２とデータ線入口３７との間が信号接続されることで、水平計測器５２がデータ線入口３７を介してフロア読取りプロセッサ３４と信号接続されて、フロアを検知して、使用効果が向上すると共に、さらには水平計測器５２を介して昇降機内のかごがあるフロアに停止した時に水平であるか、振動があるか、及び平衡度のずれを計測する。
【００１７】
本実施例においては、カメラ６をさらに備えており、ＡＶ線入口３６とカメラ６との間が信号接続されることで、リアルタイムでかご内を監視する、またはかご内の画像を取得すると共に、録画・自動保存を行うことで、実用性能が向上する。
【００１８】
動作原理：昇降機をこのモニタ装置のフロア読取りプロセッサ３４に接続して、監視室のモニタスクリーンにて昇降フロアを見ることができ、つまり、３階では、数字の３が監視室のモニタスクリーンに現れると共に、フロア数字は昇降機の昇降に伴って変化する。本実施例のモニタ装置の昇降速度記録分析プロセッサ３５は、昇降機の安定性を秒単位で検出するものであり、例えば運行が平常速度を超えた場合には、アラームを発して、またプリンタによりデータを印字し、例えば１０階から突然急速に８階にまで下がったのであれば、運行速度に異常が生じたということで、データが現れてアラームを発する。
【００１９】
本考案は、上記好ましい実施例に限られず、如何なる者でも本考案の啓示のもとでその他各種形式の製品を得ることができるものであるが、その形状又は構造上で何らかの変更を行ったとしても、本願と同一又は近似した技術手法を有するものであって、本考案の保護範囲内に収まるものである。
【符号の説明】
【００２０】
１  上蓋、２  下部ケース、３  制御板、３０  制御スイッチ、３１  ＰＣＢ板、３２  ブザー、３３  ＬＥＤインジケータ、３４  フロア読取りプロセッサ、３５  昇降速度記録分析プロセッサ、３６  ＡＶ線入口、３７  データ線入口、３８  ＡＶ線出口、３９  データ線出口、３１０  電源ソケット、３１１  変圧器、４  ディスプレイ、５  センサ、５１  検知素子、５２  水平計測器、６  カメラ
【図１】
0003212058.tif 000003
【図２】
0003212058.tif 000004